(57)【特許請求の範囲】
【請求項１】
表示パネルをブラケット板金に取り付けてなる表示装置において、
前記表示パネルの少なくとも一の端部を前記ブラケット板金に押圧して係止させる係止部を有するホルダーを、前記ブラケット板金にボルトで固定し、
前記表示パネルの前記ホルダーを取り付けた前記一の端部にはＬＥＤが内蔵され、
前記ブラケット板金の切り込みを折り曲げて前記表示パネルの裏面を受ける受け部を形成し、該受け部と前記ホルダーの係止部とで表示パネルを挟持し、前記ボルトは前記受け部に対して表示パネルと反対側に固定したことを特徴とする表示装置。
【請求項２】
前記ブラケット板金の四辺をなす端部に枠部を形成し、該枠部に前記受け部を形成した請求項１に記載された表示装置。
【請求項３】
前記ブラケット板金の受け部は前記ボルト近傍に設けられている請求項１または２に記載された表示装置。    
【請求項４】
前記表示パネルの一の側端部は前記ブラケット板金の一の枠部と前記ホルダーを介してボルトで固定され、対向する他の側端部は前記ブラケット板金の他の枠部とボルトで固定された請求項１乃至３のいずれか１項に記載された表示装置。
【請求項５】
前記ホルダーは折り曲げ片形状とされている請求項１乃至４のいずれか１項に記載された表示装置。
【請求項６】
前記ブラケット板金には前記ホルダーの両側に係止ピンを設けた請求項１乃至５のいずれか１項に記載された表示装置。
【発明の詳細な説明】
【技術分野】
【０００１】
本発明は、液晶表示パネル等の表示パネルをブラケット板金に固定した表示装置に関する。
【背景技術】
【０００２】
近年、液晶表示パネルを用いた液晶表示装置は薄型化と小型化が進められている。その一方で、液晶画面をできるだけ大画面にすることが求められている。そのため、液晶表示パネルをブラケット板金に取り付けてボルト等で固定するための取り付けスペースは、液晶表示パネルの四辺の端部に沿って設けられた幅の狭い枠状のフレーム部分に限られていた。
例えば、特許文献１に記載された液晶表示装置では、湾曲した液晶表示パネルの四辺をなす四周端部を四角形枠状の上フレームと下フレームで挟み込み、上下フレーム間にボルトを挿通してナットで連結する構造が採用されている。
しかし、このような構成は液晶表示装置の表面側のフレームにボルト頭部が露出するため、見栄えが悪く、これを被覆する別の化粧部材を設ける必要があった。また、液晶表示装置の表示面をできるだけ大きく確保して装置の小型化を進めるには、上下フレームの表面にボルトを締結するスペースを確保することが困難になる。【０００３】
また、他の液晶表示装置として、液晶表示パネルの裏面に取り付けるメタル製のブラケット板金の四周の辺部に枠部を折り曲げて形成し、これら枠部内に液晶表示パネルを嵌入させて固定したものがある。この液晶表示パネルは、上下部が長辺で両側部が短辺をなす略長方形系板状に形成され、ブラケット板金の対向する両側部の枠部に設けたボルト穴を通して液晶表示パネルの両側部の厚み方向の端面に設けたねじ穴にボルトを螺合することで、液晶表示パネルをブラケット板金に固定する構造が採用されている。
この構造であれば、ボルトを締結するスペースを液晶画面側のフレームに設けることがないので、液晶表示装置の小型化と大画面化に対応できる。
【先行技術文献】
【特許文献】
【０００４】
【特許文献１】特開２０１０−３９４４１号公報
【発明の概要】
【発明が解決しようとする課題】
【０００５】
ところで、上述の液晶表示装置のバックライトユニットがサイドランプ型（サイドエッジ型）構造を採用していると、液晶表示パネルの下部側にＬＥＤ等の光源を内蔵する構造である場合には、上述したように、液晶表示パネルの両側部の端面にボルトを直接締結することでブラケット板金と一体に固定することができる。しかしながら、液晶表示パネルの一方の側部にＬＥＤ等の光源が配列されて内蔵された構造では、ボルトが光源と干渉してしまうために側部の端面にボルトを螺合させる構成を採用することができなかった。
そのため、従来のこの種の液晶表示装置では、液晶表示パネルを挟んでフロントカバーとリアカバーとを嵌合させる構造を採用したものも提案されているが、この構成では強固な固定ができず、装置の小型化と大画面化を達成できない欠点がある。特にフロントカバーとリアカバーがプラスチック製であると嵌合強度が小さく、いずれかのカバーが外れると液晶表示パネルが外れて分離してしまうおそれがあった。【０００６】
本発明による表示装置は、このような課題に鑑みて、表示パネルの側部に光源等の部品が内蔵されていたとしても、これら部品と干渉することなく強固に固定できるようにした表示装置を提供することを目的とする。
【課題を解決するための手段】
【０００７】
本発明による表示装置は、表示パネルをブラケット板金に取り付けてなる表示装置において、表示パネルの少なくとも一の端部をブラケット板金に押圧して係止させる係止部を有するホルダーをブラケット板金の側部に設けた枠部にボルトで固定し、表示パネルのホルダーを取り付けた前記一の端部にはＬＥＤが内蔵され、ブラケット板金の切り込みを折り曲げて表示パネルの裏面を受ける受け部を形成し、該受け部とホルダーの係止部とで表示パネルを挟持し、ボルトは受け部に対して表示パネルと反対側に固定したことを特徴とする。
本発明による表示装置によれば、ブラケット板金に表示パネルを固定する際に、ホルダーの係止部で表示パネルをブラケット板金に押し付けて保持した状態で、ホルダーをブラケット板金の枠部にボルトで固定することで、表示パネルをブラケット板金に固定できる。その際、ボルトは直接表示パネルの端部に螺合させないから、表示パネルの端部に光源等の各種部品が内蔵されていてもボルトと干渉することなく固定できる。
【０００８】
また、表示パネルのホルダーを取り付けた一の端部には光源としてＬＥＤが内蔵されているから、ホルダーをボルトによってブラケット板金の枠部に固定することで、ＬＥＤからなる光源を内蔵した表示パネルの端部にボルトを捩じ込むことなく、ホルダーによって表示パネルをブラケット板金に固定できる。
【０００９】
また、ブラケット板金の切り込みを折り曲げて表示パネルの裏面を受ける受け部が設けられ、該受け部とホルダーの係止部とで表示パネルを挟持しているため、表示パネルをブラケット板金の受け部とホルダーの係止部とで押圧挟持して固定できる。そのため、表示パネルの一の側端部に光源等の各種部品が内蔵されていても、ボルトと干渉することがない。
【００１０】
また、ブラケット板金の四辺をなす端部に枠部を形成し、該枠部に受け部を形成してもよい。
また、ブラケット板金の受け部はボルト近傍に設けられていてもよく、表示パネルの裏面を支える受け部の近傍でホルダーを固定したボルトによって、表示パネルを押圧する係止部と受け部とで強固に表示パネルを固定できて、表示パネルがガタつくことを防止できる。
【００１１】
また、表示パネルの一の側端部はブラケット板金の一の枠部とホルダーを介してボルトで固定し、対向する他の側端部はブラケット板金の他の枠部とボルトで固定してもよい。  これによって、表示パネルの光源等の部品を内蔵した側端部はホルダーを介して枠部にボルトで固定し、これに対向する他の側端部は、光源等の部品を内蔵していないから、ボルトで直接ブラケット板金の枠部と固定することができる。
また、ホルダーは折り曲げ片形状とされていてもよい。
また、ブラケット板金にはホルダーの両側に係止ピンを設けていてもよい。
【発明の効果】
【００１２】
上述したように、本発明による表示装置によれば、ホルダーの係止部で表示パネルを押圧してホルダーをブラケット板金にボルト固定できるから、ボルトが表示パネルの端部と干渉することなく、ホルダーを介して強固に表示パネルをブラケット板金に固定させることができる。
また、本発明による表示装置は、ホルダーで表示パネルを固定する端部にＬＥＤ光源等の各種部品が内蔵されていても部品と干渉させることなくボルトで固定できる。
【図面の簡単な説明】
【００１３】
【図１】本発明の第一実施形態による液晶表示装置を示す一部分解斜視図である。
【図２】図１に示す液晶表示装置の分解斜視図である。
【図３】図１におけるＡ部拡大図である。
【図４】図１におけるＢ部拡大図である。
【図５】液晶表示装置の側端部の連結構造を示す一部破断拡大図である。
【図６】図５に示す液晶表示装置の端部におけるブラケット板金の枠部とブラケットホルダーの連結構造を示す破断斜視図である。
【発明を実施するための形態】
【００１４】
以下、本発明の実施形態について添付図面に基づいて説明する。
本発明の第一実施形態による液晶表示装置を図１乃至図６により説明する。
図１及び図２に示すように、液晶表示装置１は、ブラケット板金２に表示パネルとして液晶表示パネル３を一体に固定したものである。液晶表示パネル３は例えば略長方形板状とされ、その短辺の一方の側端部に光源として複数のＬＥＤが配列状態で内蔵されている。この液晶表示パネル３は光源と導光板を設けたサイドランプ型（サイドエッジ型）のバックライト構造を有しているが、図では省略されている。
液晶表示パネル３は略長方形板状の液晶表示パネル４の四周の端部に幅の狭いフレーム５が固着されている。フレーム５の下辺の一方の角部近傍には操作ボタン６が設置されている。
【００１５】
ブラケット板金２はメタル製であり、液晶表示パネル３と同様に略長方形板状である。ブラケット板金２の四辺をなす各端部には略垂直に折れ曲がって起立する枠部８が形成されており、四辺をなす枠部８内に液晶表示パネル３が嵌合されることになる。四辺の枠部８のうち短辺の両側部に形成された対向する一対の枠部８ａ，８ｂと長辺の下部に形成された枠部８ｃには、図３及び図４に示すように、略逆Ｕ字状に切り込みが入った部分が内側に折り曲げられてなる受け部９が所定間隔で複数形成されている。なお、受け部９は長辺の上部の枠部にも形成してもよい。
【００１６】
受け部９はブラケット板金２の枠部８内に嵌合された液晶表示パネル３の裏面を支持するものであり、特に各角部近傍に設けることで液晶表示パネル３のガタツキを防止できる。また、対向する短辺の一方の枠部８ｂには、適宜数(図では２個)のボルト螺合用の雌ねじが切られた雌ねじ部１１，１１が形成されている。また、他方の枠部８ａには、適宜数(図では２個)のボルト挿通孔１０、１０がそれぞれ穿孔されている。
これらボルト挿通孔１０と雌ねじ部１１は枠部８ａ、８ｂの上下の角部近傍にそれぞれ設けることが好ましいが、それ以外の位置に設けてもよく、ボルト挿通孔１０と雌ねじ部１１の数は任意である。
また、図３及び図４に示すように、ブラケット板金２の一方の短辺側の枠部８ｂには、各角部近傍に設けた雌ねじ部１１の上側に隣接して断面略Ｌ字形状のフック１２が外側に突出して形成され、フック１２の自由端部にはテーパ部１２ａが形成されている。
【００１７】
液晶表示パネル３がブラケット板金２の枠部８内に嵌合されて各受け部９で支持された状態において、ブラケット板金２の他方の枠部８ａに対向する液晶表示パネル３の短辺側の厚み方向端面３ａには、枠部８ａのボルト挿通孔１０，１０に対向する位置に図示しないねじ穴が形成されている。
また、図１及び図２において、ブラケット板金２の短辺側の一方の枠部８ｂには、受け部９に隣接する各角部近傍で受け部９に支持された液晶表示パネル３を表面側から押し付けて係止するための断面略Ｌ字形状のブラケットホルダー１３がそれぞれ取り付けられている。このブラケットホルダー１３は、図３乃至図６に示すように、液晶表示パネル３のフレーム５を受け部９側に押し付けるための係止部１３ａと本体部１３ｂとが略直角に折り曲げられて形成され、本体部１３ｂにはブラケット板金２の枠部８ｂに設けたフック１２を受け入れて係止するための窓部１５と、枠部８ｂに設けた雌ねじ穴１１にボルト１６をねじ込むためのボルト挿通孔１７と、が形成されている。
そして、ブラケット板金２の枠部８ｂには、ブラケット板金２と液晶表示パネル３を固定するブラケットホルダー１３を位置決めするために、その両側に係止ピン１９，１９が突出して形成されている。
【００１８】
本実施形態による液晶表示装置１は上述の構成を備えており、次にその組み立て方法について説明する。
まず、図２において、ブラケット板金２の四辺に形成された枠部８内に液晶表示パネル３を嵌め込む。嵌め込みに際して、一方の枠部８ｂ側に液晶表示パネル３のＬＥＤが内蔵された側端部が位置するように取り付ける。ブラケット板金２の枠部８内に嵌め込まれた液晶表示パネル３は、少なくとも両側部と下部とに設けた３つの枠部８ａ，８ｂ，８ｃに設けた受け部９に支持された状態にガタつきなく保持される。
【００１９】
この状態で、ブラケット板金２の他方の枠部８ａに設けたボルト挿通孔１０，１０を通してボルト１６，１６を差込み、液晶表示パネル３の他方の側端部の厚み方向の端面に形成された図示しないねじ穴に螺合させることで固定する。この固定構造は上述した従来技術によるものと同一である。
次に、ブラケット板金２の枠部８ａに対向する枠部８ｂにおいて、図３及び図４に示すように、ブラケットホルダー１３の係止部１３ａを液晶表示パネル３のフレーム５に押し付けて、本体部１３ｂの窓部１５にフック１２を嵌め込むと共に雌ねじ部１１にボルト挿通孔１７を一致させるように重ねる。
【００２０】
そして、ワッシャ１８を付けたボルト１６を、ブラケットホルダー１３のボルト挿通孔１７に挿入して枠部８ｂに設けた雌ねじ部１１に螺合させてブラケットホルダー１３を枠部８ｂに固定する。これにより、液晶表示パネル３は枠部８ｂの受け部９とブラケットホルダー１３の係止部１３ａとで両面から押し付けられてブラケット板金２と一体に固定される。ボルト１６を螺合する雌ねじ部１１は枠部８ｂの受け部９の裏面側に設けたから、枠部８ｂ内に進入するボルト１６が液晶表示パネル３と干渉することはない。
このとき、液晶表示パネル３はブラケット板金２の枠部８にそれぞれ設けた受け部９に載置され、しかも受け部９は液晶表示装置１の各角部近傍に設けたから、ガタつくことなく堅固にブラケット板金２に固定される。しかも、液晶表示パネル３のボタン６の近傍は受け部９で支えられているから、ボタン６を繰り返して押して操作してもガタついたりせず安定して固定できている。  
【００２１】
上述のように、本実施形態による液晶表示装置１は、一方の側端部では、ブラケットホルダー１３の係止部１３ａで液晶表示パネル３を受け部９に押圧して挟持させて、ブラケットホルダー１３をブラケット板金２にボルト１６で固定させ、他方の側端部では、ボルト１６をブラケット板金２の枠部８ａのボルト挿通孔１０から液晶表示パネル３の端面のねじ穴に直接螺合することで、液晶表示パネル３をブラケット板金２に固定できる。
しかも、ブラケット板金２の一方の枠部８ｂでは、ブラケットホルダー１３のボルト挿通孔１７を通したボルト１６を、液晶表示パネル３を支持する受け部９の裏面側の雌ねじ部１１に螺合させたから、液晶表示パネル３の一方の側端部に内蔵したＬＥＤと干渉することがなく、強固に液晶表示パネル３をブラケット板金２に固定できる。
また、液晶表示装置１の角部近傍に受け部９を設けたから、液晶表示パネル３をブラケット板金２に固定した状態で液晶表示パネル３がガタつくことがない。同様に、液晶表示装置１は、ボタン６の近傍に受け部９を設けたから、ボタン６の押圧操作を繰り返しても液晶表示パネル３がガタつくことなく堅固に固定保持できる。
【００２２】
また、液晶表示装置１の組み立てに際して、ブラケットホルダー１３の係止部１３ａを液晶表示パネル３に当接させるだけでなく、窓部１５をブラケット板金２の枠部８ｂのフック１２に係合させて呼び込みと仮止めをできるから、ボルト１６をブラケットホルダー１３のボルト挿通孔１７を通して枠部８ｂに締め込む際に、ブラケットホルダー１３が不用意に落下するおそれがなく、簡単且つ確実に組み立てできる。
【００２３】
なお、本発明による表示装置は、液晶表示パネル３をブラケット板金２に固定した液晶表示装置１に限定されることなく、各種の表示パネルをブラケット板金２に固定した表示装置に適用できる。
また、上述の実施形態では、枠部８ｂ側の側端部にＬＥＤ等の光源を内蔵する液晶表示パネル３をブラケット板金２に組み立て固定する液晶表示装置１について説明したが、表示パネルに内蔵する部品はＬＥＤ等の光源に限定されることはなく、光源以外の各種の部品に締結用のボルト１６が干渉しないように組み立て固定できる。
【００２４】
なお、上述の実施形態では、液晶表示パネル３の一の側端部をブラケット板金２の一方の枠部８ａとボルト１６によって直接固定し、対向する他の側端部をブラケットホルダー１３を介して他方の枠部８ｂと間接的に固定させた液晶表示装置１について説明したが、この構成に代えて、液晶表示パネル３の対向する両側の側端部をそれぞれブラケットホルダー１３を介してブラケット板金２の各枠部８ａ、８ｂにボルト１６で固定するようにしてもよい。
以上、本発明の好ましい実施形態と変形例等を説明したが、本発明は上述の実施形態や変形例等に限定されることはない。本発明の趣旨を逸脱しない範囲で、構成の付加、省略、置換、およびその他の変更が可能である。本発明は前述した説明によって限定されることはなく、添付のクレームの範囲によってのみ限定される。
【産業上の利用可能性】
【００２５】
本発明は、ＬＥＤ等の光源やその他の各種部品を側端部に内蔵した表示パネルをブラケット板金に固定する際、これら部品と干渉させることなく、ボルトでブラケット板金と表示パネルを一体に固定できるようにした表示装置を提供する。
【符号の説明】
【００２６】
１  液晶表示装置
２  ブラケット板金
３  液晶表示パネル
８，８ａ、８ｂ、８ｃ  枠部
９  受け部
１０、１７  ボルト挿通孔
１１  雌ねじ部
１２  フック
１３  ブラケットホルダー
１３ａ  係止部
１５  窓部
１６  ボルト
【図１】
0005536215.tif 000002
【図２】
0005536215.tif 000003
【図３】
0005536215.tif 000004
【図４】
0005536215.tif 000005
【図５】
0005536215.tif 000006
【図６】
0005536215.tif 000007